(57)【要約】【課題】本発明は、積載板に対して小さい平版印刷版が積層される平版印刷版包装体において、内装紙の包装作業を容易に行うことができ、包装作業の全自動化を図ることができる平版印刷版包装体を提供する。【解決手段】平版印刷版包装体１０は、積載板２２に積層された積層ＰＳ版束２８の上面に、積載板２２と同形で同じ大きさの天面部材３０を配置し、積層ＰＳ版束２８を積載板２２及び天面部材３０とともに内装紙３２によって包装し、全体形状として直方体形状にした。天面部材３０を配置することにより、積載板２２の外周を覆う内装紙３２の展開長と天面部材３０の外周を覆う内装紙３２の展開長とが等しくなるので、内装紙３２を天板１６の角部においてきっちりと９０°に折り込むことができる。また、内装紙３２の包装時における天面部材３０の倒れの心配も要らないので、ＰＳ版２０の積層作業及び内装紙３２の包装作業を含めた包装作業の全自動化を達成できる。【選択図】        図４
2005029174.tif 000002
【特許請求の範囲】
【請求項１】
積載板と比較して大きさの小さい平版印刷版が該積載板上に所定枚数積載されるとともに、該積載板と同じ大きさの天面部材が、前記積載された平版印刷版の上面に載置され、該積載された平版印刷版が、前記積載板及び前記天面部材とともに内装材によって包装され直方体形状に形成されたことを特徴とする平版印刷版包装体。
【請求項２】
前記平版印刷版包装体は、前記積載板が架台上に載置されるとともに該架台にバンド部材によって固定されることを特徴とする請求項１に記載の平版印刷版包装体。
【発明の詳細な説明】
【０００１】
【発明の属する技術分野】
本発明は平版印刷版包装体に関し、特に積載板上に積載された多数枚の平版印刷版を運搬及び保管するための平版印刷版包装体に関する。
【０００２】
【従来の技術】
電子写真製版法を含む近年の製版法では、製版工程の自動化を容易にすべく、感光性印刷版や感熱性印刷版等の平版印刷版〔以下、ＰＳ版（Ｐｒｅ−Ｓｅｎｓｉｔｉｚｅｄ  Ｐｌａｔｅ）と称する〕が広く使用されている。ＰＳ版は、シート状又はコイル状のアルミニウム板等よりなる支持体の面上に、例えば砂目立て、陽極酸化、シリケート処理、及びその他化成処理等の親水化表面処理を単独又は適宜組み合わせて行い、次いで、感光液又は感熱液の塗布、乾燥処理を行った後、所望のサイズに切断することにより製造される。
【０００３】
製造されたＰＳ版は、活性エネルギー線照射により画像形成され、この後、アルカリ性現像液による現像処理、水洗、ガム処理、及び乾燥工程を経て印刷印版となる。
【０００４】
ところで、図６の如く製造されたＰＳ版１は、積載板２上に合紙３と交互に積載された後、防湿性及び遮光性のある内装紙４に包装され、この状態で運搬及び保管される。
【０００５】
このような積載板は、ＰＳ版の複数の規格サイズに対応したサイズのものを複数種類予め用意し、積層されるＰＳ版のサイズに対応したサイズのものを選択して使用することもできる。しかし、それでは部品管理に手間がかかるため、積載板はＰＳ版の最大寸法の形状に合った一種類のもののみ用意され、共通化が図られている。
【０００６】
したがって、最大寸法のＰＳ版が積載板２に積層された場合には、積載板２の外周を覆う内装紙４の展開長（Ｌ１）とＰＳ版の上面外周を覆う内装紙４の展開長（Ｌ２）とが等しくなるので、内装紙４の折り込み作業が容易になり、包装作業の全自動化を達成するための足掛かりとなる。これに対し、図６の如く積載板２に対して小さいサイズのＰＳ版１が積層された場合には、積載板２の外周を覆う内装紙４の展開長（Ｌ１）とＰＳ版の上面外周を覆う内装紙４の展開長（Ｌ２）に差（Ｌ１＞Ｌ２）が生じるため、図６の矢印Ａで示すように内装紙４を積層ＰＳ版１の上面に折り込むと、内装紙４の前記展開長の差分が皺や折れとなって発生し、うまく包装することができない。
【０００７】
そこで、従来の平版印刷版包装体では、積載板に積層された積層ＰＳ版束の外周に段ボール等の緩衝部材を配置することで、前記展開長（Ｌ１、Ｌ２）を等しくさせたものが提案されている（例えば、特許文献１参照）。
【０００８】
【特許文献１】
特開平１０−１９４３５１号公報（３頁  図３）
【０００９】
【発明が解決しようとする課題】
しかしながら、特許文献１の平版印刷版包装体は、段ボール等の緩衝部材を積層ＰＳ版束の外周に配置するものなので、内装紙の包装時において段ボールの倒れを防止する必要があり、これを自動化するのは難しく結局のところ包装作業を自動化することが困難であった。
【００１０】
本発明は、このような事情に鑑みてなされたもので、積載板に対して小さい平版印刷版が積層される平版印刷版包装体において、内装紙の包装作業を容易に行うことができ、包装作業の全自動化を図ることができる平版印刷版包装体を提供することを目的とする。
【００１１】
【課題を解決するための手段】
本発明は、前記目的を達成するために、積載板と比較して大きさの小さい平版印刷版が該積載板上に所定枚数積載されるとともに、該積載板と同じ大きさの天面部材が、前記積載された平版印刷版の上面に載置され、該積載された平版印刷版が、前記積載板及び前記天面部材とともに内装材によって包装され直方体形状に形成されたことを特徴とする。
【００１２】
本発明によれば、積載板に積層された平版印刷版の上面に、積載板の同形で同じ大きさの天面部材を配置し、積層された平版印刷版を積載板及び天面部材とともに内装紙によって包装し、全体形状として直方体形状とした。よって、天面部材を配置することにより、積載板の外周を覆う内装紙の展開長と天面部材の外周を覆う内装紙の展開長とが等しくなるので、内装紙の折り込み作業を容易に行うことができ、また、内装紙の包装時における天面部材の倒れの心配も要らないので、包装作業の全自動化を達成することができる。
【００１３】
平版印刷版包装体を客先に搬入する形態としては、平版印刷版包装体を架台上に載置し、架台にバンド部材で固定した形態が好ましい。この形態であれば、架台を介して平版印刷版包装体を、フォークリフト等の自走運搬車両によって容易に運搬できるからである。
【００１４】
【発明の実施の形態】
以下添付図面に従って本発明に係る平版印刷版包装体の好ましい実施の形態について詳説する。
【００１５】
図１には、平版印刷版包装体１０の運搬形態１２の斜視図が示され、図２〜図５には、平版印刷版包装体１０の作製方法が模式的に示されている。
【００１６】
図１に示した運搬形態１２は、平版印刷版包装体１０が矩形板状のスキッド（架台に相当）１４に載置されるとともに平版印刷版包装体１２の上面に天板１６が載置され、平版印刷版包装体１２がスキッド１４及び天板１６とともに固定用バンド（バンド部材に相当）１８、１８…によって固定されて構成されたものである。天板１６の表面形状は、スキッド１４の表面形状と略同形に形成され、これにより運搬形態１２全体が直方体形状に構成される。なお、天板１６を使用することなく、平版印刷版包装体１０をスキッド１４に固定用バンド１８によって固定してもよい。
【００１７】
スキッド１４の下部には２本の脚部１５、１５が設けられている。この２本の脚部１５、１５の間又は外側に、フォークリフト（不図示）のフォークを挿入することによって、平版印刷版包装体１０はスキッド１４を介して容易に持ち上げられ、製版機等に運ばれる。
【００１８】
図２〜図５に示した模式図によれば、ＰＳ版２０は、スキッド１４上に載置された積載板２２上に多数枚積み重ねられて積層されている。
【００１９】
このＰＳ版２０は、長方形の板状に形成された薄いアルミニウム製の支持体上に、塗布膜（感光性印刷版の場合には感光層、感熱性印刷版の場合には感熱層、さらに必要に応じて、オーバーコート層やマット層等）を塗布して製造されたものである。この塗布膜に、露光、現像処理、ガム引き等の製版処理が行われ、印刷機にセットされ、インクが塗布されることで、紙面に文字、画像等が印刷される。なお、実施の形態のＰＳ版２０は、印刷に必要な処理（露光や現像等）が施される前段階のものである。
【００２０】
積載板２２は塩化ビニル製であり、図３の如くスキッド１４よりも小さい矩形状に形成されている。また、ＰＳ版２０は、積載板２２よりも小さい規格サイズのものであり、積載板２２に積層される場合には、ＰＳ版２０の一つのコーナ部２０Ａが、積載板２２の一つのコーナ部２２Ａに合わされるとともに、ＰＳ版２０の一つの長辺部２０Ｂが、積載板２２の一つの長辺部２２Ｂに合わされ、且つ、ＰＳ版２０の一つの短辺部２０Ｃが、積載板２２の一つの短辺部２２Ｃに合わされるようにして積載されている。
【００２１】
さらにＰＳ版２０は、図２の如くＰＳ版２０の塗布膜を保護する合紙２４と交互に厚み方向に重ね合わされて積層されるとともに、積層方向の両端面、あるいはＰＳ版２０の所定枚数ごとに保護用厚紙２６が挿入されて積層されている。
【００２２】
このように積層されて構成された積層ＰＳ版束２８の上面には、天面部材３０が載置される。この天面部材３０は、厚紙で作製されるとともに、その表面形状は積載板２２と同形で同じ大きさに形成されており、図３の如く、上面からみて積載板２２と合致するように積層ＰＳ版束２８上に載置される。
【００２３】
ＰＳ版２０を厚み方向に積層して積層ＰＳ版束２８を構成する工程は特に限定されないが、例えば、ＰＳ版２０の支持体であるウエブ状のアルミニウム板を長手方向に搬送しつつ所定のサイズに切断するＰＳ版の加工ラインでは、ＰＳ版２０を積載板２２に順次集積する集積装置が設けられている。また、この加工ラインでは、切断前のアルミニウム板に、同じくウエブ状の合紙が接触配置され、その後にウエブ状のアルミニウム板と合紙２４とが一体で切断されて所定サイズとされる。この場合には、集積装置での集積時に、平版印刷版１０と合紙２４とが交互に積層された状態で積層ＰＳ版束２８が構成される。もちろん、ＰＳ版２０と合紙２４とを交互に積層したのち、さらにカッタ等によってＰＳ版２０及び合紙２４の端部を切りそろえて、積層ＰＳ版束２８を構成してもよい。
【００２４】
また、１つの積層ＰＳ版束２８を構成するＰＳ版２０の枚数は特に限定されないが、運搬や保管の効率化の観点等から、例えば１０枚〜２００枚とすることもできる。ＰＳ版２０を１０枚以上とすることで、荷扱いの効率化を図ることができる。また、２００枚以下とすることで、積層ＰＳ版束２８自体の重量が制限されることになるので、荷扱いにおける作業負荷が軽減される。さらに多数枚のＰＳ版２０によって積層ＰＳ版束２８を構成し、より効率的（少ない荷扱いの回数で）に運搬や保管ができるようにすることも可能である。例えば、ＰＳ版２０の枚数を５００枚〜３０００枚程度としても構わない。また、ＰＳ版２０の種類によっては、合紙２４及び保護用厚紙２６のいずれか一方若しくは双方を省略して積層ＰＳ版束２８を構成してもよい。
【００２５】
このようにして構成された積層ＰＳ版束２８及び天面部材３０は、図４、図５の如く帯状の紙３２によって内装される。内装紙３２は、遮光性及び防湿性を有する紙によって構成されており、この内装紙３２を使用して、ＰＳ版２０が外部から完全に遮断されるように包装されることで、積層ＰＳ版束２８が確実に遮光及び防湿される。
【００２６】
内装紙３２としては、その材質は、積層ＰＳ版束２８を完全に外部から遮断して包装することが可能であれば特に限定されないが、例えば、所定の大きさとされた１枚の長方形状のクラフト紙によって構成することができる。また、このクラフト紙に、所定の厚さの金属薄膜を貼着し、場合によってはさらにこの金属薄膜上に所定の厚さの樹脂層を貼り合わせて構成されたものを使用してもよい。またさらに、この金属薄膜に、１０〜７０μｍの低密度ポリエチレン層を貼着したり、この低密度ポリエチレン層に、７０μｍ程度の黒ポリエチレンフィルムを貼り合わせたりして、遮光性及び防湿性を高めた物を使用することもできる。一般に、感光性印刷版は感光性が高く、僅かな可視光波長帯域の光によって露光されても感光層に変化が生じるため、遮光する必要がある。また、感熱性印刷板も、当たる光の熱エネルギーによって感熱層が変質したり、反応進行によって感度変化が起こったりする場合があるため、適度な遮光を行うことが好ましい。さらに、急激な湿度変化や温度変化を受けると、いずれの印刷板も、感光層又は感熱層に結露が発生して変質したり、合紙２４と接着したりする等の不都合があるため、防湿する必要が生じる。内装紙３２は上記したように構成されることで一定の遮光性及び防湿性を有するため、ＰＳ版２０の感光層又は感熱層の変質が防止され、ＰＳ版２０は一定の品質に維持される。もちろん、内装紙３２が上記した一定の遮光性及び防湿性を発揮できれば、必ずしも低密度ポリエチレン層及び黒ポリエチレンフィルム等が貼着されている必要はない。
【００２７】
内装紙３２の形状及び内装構造（内装紙の折り方）等も、積層ＰＳ版束２８を防湿及び遮光可能であれば特に限定されないが、積層ＰＳ版束２８を包囲した短辺部の内装紙３２Ａ、３２Ａを天面部材３０に向けて先に折り込み、この後、長辺部の内装紙３２Ｂ、３２Ｂを天面部材３０に向けて折り込むことにより、うまく内装紙３２を折り込むことができる。そして、粘着テープ等の固定手段によって、内装紙３２の折込部を貼り付ける。これにより、内装紙３２が不用意に広がったり脱落したりしないように固定される。固定手段としては、内装紙３２を確実に固定できるものであれば限定されず、例えば、粘着テープに代えて（あるいは併用して）、ホットメルトや一般的な糊などの接着剤を使用してもよい。
【００２８】
次に、実施の形態の平版印刷版包装体１０の作用を説明する。
【００２９】
この平版印刷版包装体１０は、図２の如く積載板２２に積層された積層ＰＳ版束２８の上面に、積載板２２と同形で同じ大きさの天面部材３０を配置し、積層ＰＳ版束２８を積載板２２及び天面部材３０とともに内装紙３２によって包装し、全体形状として直方体形状としている。
【００３０】
よって、天面部材３０を配置することにより、積載板２２の外周を覆う内装紙３２の展開長と天面部材３０の外周を覆う内装紙３２の展開長とが等しくなるので、内装紙３２を天面部材３０の角部３０Ａ（図５参照）においてきっちりと９０°で折り込むことができ、よって、内装紙３２の折り込み作業が容易になる。
【００３１】
また、平版印刷版包装体１０によれば、内装紙３２の包装時における天面部材３０の倒れの心配も要らないので、ＰＳ版１０の積層作業及び内装紙３２の包装作業を含めた包装作業の全自動化を達成することができる。
【００３２】
【実施例】
厚さ０．３ｍｍで大きさが３９８×１１００ｍｍのアルミニウム板上に感光層又は感熱層が形成されたＰＳ版を用意し、このＰＳ版の塗布層に、漂白クラフトパルプから抄造した合紙を密着させ、ＰＳ版と合紙とを交互に積載した積層物の上下に、古紙から抄造した保護用厚紙を配置し積層ＰＳ版束を構成した。種類により合紙の無いもの、保護用合紙が積層ＰＳ版束に入らないもの、平版印刷版積載体の上下にのみ保護用厚紙が入るものがある。
【００３３】
これらの積層ＰＳ版束は、より効率的に運搬や保管ができるようにするために、平版印刷版原版の枚数を５００枚程度にして積載板の上に積載する。この集積方法は積層ＰＳ版束毎に手作業で積載板の上に積載する方法もあれば、集積装置によって１枚ずつ連続的に積載していく方法もある。
【００３４】
また、実施例の平版印刷版包装体は、積載板と同寸法の天面部材を、積層されたＰＳ版の上面に配置することにより、積載板とＰＳ版の上面との外周差がなくなるので、内装材による皺や折れのない包装が可能となった。天面部材は、積層されたＰＳ版の上面ばかりでなく積層されたＰＳ版の中間にも複数配置してもよい。また、スキッドを含めて内装紙で内装してもよい。この場合、スキッドの大きさは、積載板の大きさに合わせておくことが、内装紙の包装上好ましい。
【００３５】
本実施例では、天面部材として厚紙を使用したが、厚紙に代えて段ボールシートを使用してもよい。また、積載板と天面部材の周差は、３０ｍｍ以内であれば問題ないが、好ましくは２０ｍｍ以内さらに好ましくは１０ｍｍ以下であることが好ましい。
【００３６】
段ボールとしては、
（１）段ボールの段：
（強い）Ａ＞Ｃ＞Ｂ＞Ｅ（弱い）、の各段（ＪＩＳ  Ｚ  １５１６）
（２）段ボールの層構成：
（強い）複々両面（ＡＡＡ等）＞複両面（ＡＡ等）＞両面（Ａ）（弱い）、の各段ボール（ＪＩＳ  Ｚ  １５１６他）
（３）段ボールの表、裏ライナーの種類：
（強い）ＡＡ＞Ａ＞Ｂ＞Ｃ（弱い）
（４）段ボールの表、裏ライナーの坪量（ｇ／ｍ２  ）：
（強い）４４０〜１６０（弱い）
（５）段ボールの中芯の種類：
（強い）強化中芯Ａ＞Ｂ＞Ｃ（弱い）、の各級（ＪＩＳ  Ｐ  ３９０４他）
（６）段ボールの中芯の坪量（ｇ／ｍ２  ）：
（強い）２８０〜１００（弱い）
（７）段ボールの代替材料：
坪量２００〜２０００（ｇ／ｍ２  ）の厚紙
（８）ハニカム材の構成：
基本的に段ボールに使用されるライナー、中芯で構成。実施例では、天面部材に厚紙を使用したが、樹脂製等の材質はこの限りではない。
【００３７】
一方、合紙としては、ＰＳ版の塗布膜を保護できれば、具体的構成は特に限定されないが、例えば、木材パルプを１００％使用した紙や、木材パルプを１００％使用せず合成パルプを使用した紙、及びこれらの紙の表面に低密度ポリエチレン層を設けた紙等を使用できる。特に、合成パルプを使用しない紙では、材料コストが低くなるので、低コストで合紙を製造することができる。より具体的には、漂白クラフトパルプから抄造した坪量３０〜６０ｇ／ｍ２  、密度０．７〜０．８５ｇ／ｃｍ３  、水分４〜８％、ＰＨ４〜６の合紙が挙げられるが、もちろんこれに限定されない。
【００３８】
また、保護用厚紙としては、故紙から抄造した坪量２００〜１５００ｇ／ｍ２  、密度０．７〜０．８５ｇ／ｃｍ３  、水分４〜８％、ベック平滑度３〜２０秒、ＰＨ４〜６の保護用厚紙を使用することができる。なお、例えば１０枚〜１００枚のＰＳ版によって積層ＰＳ版束を構成した場合には、ＰＳ版と保護用厚紙とがずれないように、粘着テープ等の固定手段でこれらを固定してもよい。
【００３９】
【発明の効果】
以上説明したように、本発明に係る平版印刷版包装体によれば、積載板に積層された平版印刷版の上面に、積載板と同じ大きさの天面部材を配置し、積層された平版印刷版を積載板及び天面部材とともに内装紙によって包装し、全体形状として直方体形状としたので、内装紙の折り込み作業が容易になり、また、内装紙の包装時における天面部材の倒れの心配も要らないので、包装作業の全自動化を達成することができる。
【００４０】
また、平版印刷版包装体を客先に搬入する形態として、平版印刷版包装体を架台上に載置し、架台にバンド部材で固定した形態としたので、架台を介して平版印刷版包装体を、フォークリフト等の自走運搬車両によって製版機に容易に運搬できる。
【図面の簡単な説明】
【図１】実施の形態の平版印刷版包装体の運搬形態を示した斜視図
【図２】実施の形態の平版印刷版包装体の積層ＰＳ版束を示した斜視図
【図３】図２に示した積層ＰＳ版束の上面図
【図４】積層ＰＳ版束が内装紙によって内装されている状態を示した斜視図
【図５】内装紙によって内装された積層ＰＳ版束の要部断面図
【図６】従来の積層ＰＳ版束が内装紙によって内装されている状態を示した斜視図
【符号の説明】
１０…平版印刷版包装体、１２…平版印刷版包装体の運搬形態、１４…スキッド、１６…天板、１８…固定用バンド、２０…ＰＳ版、２２…積載板、２４…合紙、２６…保護用厚紙、２８…積層ＰＳ版束、３０…天面部材、３２…内装紙
【図１】
2005029174.tif 000003
【図２】
2005029174.tif 000004
【図３】
2005029174.tif 000005
【図４】
2005029174.tif 000006
【図５】
2005029174.tif 000007
【図６】
2005029174.tif 000008